(57)【要約】【課題】  暗所での使用に特化したシート６０を提供すること。【解決手段】  シート６０の長辺側の端部に、電源ケーブル２を取り付ける。電源ケーブル２の一端には、図示しない電源が接続される。電源ケーブル２を電源に対して電気的に接続すると、電源ケーブル２に取り付けられている発光ユニット１が通電して、発光素子６が発光する。電源ケーブル２は、可撓性を有する電源コード９と、電源コード９が取り付けられている平板状の複数の支持部材１０とを備える。よって、シート６０は、電源ケーブル２が取り付けられていても、巻く際に支障が出ないにも拘わらず、シート６０の外縁が視認可能となる。【選択図】  図１
2006207195.tif 000002
【特許請求の範囲】
【請求項１】
巻き取り可能なシート本体と、
前記シート本体の使用時の表面端部に直線的に配列されている発光素子と、
前記発光素子を相互に電気的に接続する配線とを備えることを特徴とする暗所用シート。
【請求項２】
前記発光素子はユニット化されていることを特徴とする請求項１記載の暗所用シート。
【請求項３】
前記配線は、前記発光素子の配列方向に対して平行に延在している平板状の複数の支持部材を介して前記シート本体に取り付けられていることを特徴とする請求項１又は２記載の暗所用シート。
【請求項４】
前記配線は、一部が前記シート本体の使用時の裏面又は側面に設けられていることを特徴とする請求項１又は２記載の暗所用シート。
【請求項５】
前記各発光素子は、前記シート本体に形成されている貫通孔に、前記表面側が発光部分となる態様で収容されていることを特徴とする請求項１又は２記載の暗所用シート
【請求項６】
前記発光素子の端子と前記前記配線との接続部分を覆う樹脂と、
前記樹脂を覆う保護部材とを含むことを特徴とする請求項５記載の暗所用シート。
【請求項７】
請求項１から６のいずれか記載の暗所用シートと、前記配線に接続される電源とを備えることを特徴とする暗所用シートユニット。
【請求項８】
さらに、前記発光素子と前記電源との間に配置されるスイッチング素子を備えることを特徴とする請求項７記載の暗所用シートユニット。
【発明の詳細な説明】
【技術分野】
【０００１】
本発明は、暗所用シートに関し、例えば、工事現場等で用いられる歩行者用シートに関する。
【背景技術】
【０００２】
工事現場等は、足元が悪いところがあったり、重機を作動させていたりするため、安全に配慮することが求められる。特に、夜間等の場合には、なおさら安全に配慮することが求められる。
【０００３】
特許文献１には、ガラス、合成樹脂などの透明球を配列した表示層、又は、蛍光物質を含む塗料層を備えることで視認性に優れた工事現場用歩行者シートが開示されている。この工事現場用歩行者シート上には、歩行の際に足を載せる目印となる凸部が形成されている。この発明によると、夜間の通行においても歩行者用通路として明確に識別することができるとされている。
【０００４】
【特許文献１】特開昭５５−０５２０８８号公報
【発明の開示】
【発明が解決しようとする課題】
【０００５】
しかし、上記特許文献１に記載されている工事現場用歩行者シートの表示層は、光反射機能しか有していない。したがって、上記工事現場用歩行者シートは、表示層に光が照射されない限り、表示層がその機能を発揮しない。このため、例えば、上記工事現場用歩行者シートを敷く場所が、工事終了後に全く光が当たらないような場所である場合には、従前の工事現場用歩行者シートと同じ効果しか発揮できない。そればかりか、このような場合には、シート上に形成されている凸部がむしろ躓く原因になりかねない。
【０００６】
そこで、本発明は、暗所での使用に特に適したシートを提供することを課題とする。
【課題を解決するための手段】
【０００７】
上記課題を解決するために、本発明の暗所用シートは、巻き取り可能なシート本体と、前記シート本体の使用時の表面端部に直線的に配列されている発光素子と、前記発光素子を相互に電気的に接続する配線とを備えることを特徴とする。
【０００８】
本発明によると、シートは、単に反射機能を有するのみならず、自発的に発光するため、周囲に明かりがなくても、シートの外縁が視認できるようになる。このため、夜間などの暗所でのガイド、保安灯としても用いることができる。
【０００９】
前記発光素子がユニット化されていると、シート本体への発光素子の取り付けが容易になるという利点がある。
【００１０】
前記配線は、前記発光素子の配列方向に対して平行に延在している平板状の複数の支持部材を介して前記シート本体に取り付けられているとよい。こうすると、配線が支持されることで、配線への外力がかかりにくく、その一方で、前記シート本体を巻くときに、支持部材間が巻きを阻害しないように作用するので好ましい。
【００１１】
前記配線は、一部が前記シート本体の使用時裏面又は側面に設けられていることが好ましい。この場合、配線に足をとられることがないし、物が引っかかることで配線が断線することもない。特に、配線が側面に設けられていれば、シート本体を巻いた状態での配線の内周と外周との差が少なくなるので配線への負荷が更に減少する。
【００１２】
前記各発光素子は、前記シート本体に形成されている貫通孔に、前記表面側が発光部分となる態様で収容されている場合には、シートが軽くなる、シートが巻き取りやすくなどのメリットがある。この場合、特に、前記発光素子の端子と前記前記配線との接続部分を覆う樹脂と、前記樹脂を覆う保護部材とを含むようにすると、シートの薄型化、軽量化の点で好ましい。
【００１３】
また、本発明の暗所用シートユニットは、上記いずれかの暗所用シートと、前記配線に接続される電源とを備えることを特徴とする。
【００１４】
商用電源等を用いることなく、暗所用シートユニット単独で、発光素子を発光させることが可能になる。
【００１５】
前記発光素子と前記電源との間に配置されるスイッチ素子とを備えると、発光素子を点滅されることが可能になるので、よりシート外縁を視認しやすくなり好ましい。
【発明を実施するための最良の形態】
【００１６】
以下、本発明の実施形態について、図面を用いて説明する。なお、図面は、本発明の実施形態の説明の都合上、一部を誇張して描いてある。したがって、実際の製品は、部材の数、寸法及び比率については図示されているものに限定されるわけではないことに留意されたい。
【００１７】
図１は、本発明の実施形態の工事現場用歩行者シート６０の模式的な外観図である。図１には、工事現場用歩行者シート６０の長辺側の端部に、電源ケーブル２を取り付けた状態を示している。電源ケーブル２の一端には、図示しない電源が接続されている。この電源には、工事現場用歩行者シート６０の搬送を容易にするために、乾電池、携帯型バッテリー、１２Ｖの車載用バッテリー、商用電源等の小型電源を用いるとよい。
【００１８】
工事現場用歩行者シート６０は、ゴム或いはビニールなどから成り、巻いた状態で、収容、搬送等が行えるようにされている。工事現場用歩行者シート６０は、長さが２〜４ｍ程度、幅が１ｍ程度、厚みが４〜６ｍｍ程度、重さが１０〜１５ｋｇ程度としている。このうち、電源ケーブル２の重さは、５００ｇ程度であり、工事現場用歩行者シート６０の総重量には、さほど影響を与えない。
【００１９】
電源ケーブル２は、可撓性を有する電源コード９と、電源コード９が取り付けられている平板状の複数の支持部材１０とを備える。電源コード９は、例えば２〜３本の電線を塩化ビニールなどで互いに絶縁した状態で被覆している。ここでは、２芯ケーブルを用いている。電源コード９には、所要の間隔（例えば、５〜５０ｃｍ）で、発光ユニット１が取り付けられている。
【００２０】
発光ユニット１は、長さ５〜１０ｃｍ×幅１〜２ｃｍ×０．５〜１ｃｍ程度の大きさである。発光ユニット１は、発光ダイオード（例えば、高輝度赤色ＬＥＤ）などの発光素子６を備える。電源ケーブル２を電源に接続すると、電源ケーブル２に取り付けられている発光ユニット１が通電して、発光素子６が発光する。
【００２１】
電源コード９は、図面手前側に位置する発光素子６の右端側で、工事現場用歩行者シート６０の裏面を通り、図面奥側に位置する発光素子６の右端側で、工事現場用歩行者シート６０の表面に戻る。すなわち、全ての発光素子６は、一本の電源コード９を介して直列接続されている。
【００２２】
電源コード９の一部を、工事現場用歩行者シート６０の裏面に通すことで、電源コード９の上記部分に歩行者が足等を引っかけることを防止できる。なお、電源コード９の当該部分は、地面等との接触による断線防止のために、ゴムパイプ、プラスチックカバー、あるいは補強用テープなどで覆われている。
【００２３】
電源コード９の上記部分は、工事現場用歩行者シート６０の裏面に這わせずに、表面に這わせることも可能である。この場合には、例えば、工事現場用歩行者シート６０の電源コード９を這わせる部分に溝を形成したり、電源コード９上をエッジが小さい部材で覆ったりして、工事現場用歩行者シート６０と電源コード９との段差を少なくするとよい。
【００２４】
なお、これに代えて、図面手前側に位置する発光素子６と、図面奥側に位置する発光素子６とを並列接続してもよい。或いは、図面手前側に位置する発光素子６と、図面奥側に位置する発光素子６とを、各々を独立させて、異なる電源（図示せず）に接続してもよい。
【００２５】
本実施形態では、電源ケーブル２を複数の支持部材１０から構成していて、かつ、電源コード９が可撓性を有するので、支持部材１０間で電源コード９を自由に曲げられる。このため、工事現場用歩行者シート６０は、電源ケーブル２を取り付けても、従来通り巻くことが可能であり、この状態での収容、搬送が可能になる。
【００２６】
図２（Ａ）は、図１に示す電源ケーブル２の発光ユニット１近傍の模式的な側面図である。図２（Ｂ）は、図２（Ａ）の模式的な平面図である。図２には、複数（図２では５つ）のＬＥＤ素子６を備えている発光ユニット１を示している。発光ユニット１の内部構造等の説明については後述する。
【００２７】
各支持部材１０は、幅２〜３ｃｍ×高さ５ｍｍ程度である。各支持部材１０の長さは、工事現場用歩行者シート６０が巻きやすい長さとすればよく、支持部材１０の材料（硬度）、発光ユニット１間のピッチ、ＬＥＤ素子６の輝度等に依存する。支持部材１０は、例えばゴムから成り、１０〜２０ｃｍ程度としている。
【００２８】
図３（Ａ）は、図２（Ａ）のａ−ａ’間の断面図である。図３（Ｂ）は、図３（Ａ）のｂ−ｂ’間の断面図である。図３（Ｃ）は、図３（Ａ）のｃ−ｃ’間の断面図である。図３（Ａ）には、各ＬＥＤ素子６が、ＬＥＤ保持基板８の上面で保持されている状態を示している。ＬＥＤ素子６は、互いに電気的に直列接続された状態で保持されている。
【００２９】
ＬＥＤ保持基板８の両端底面には、アノード給電刃７ａおよびカソード給電刃７ｂが各々形成されている。アノード給電刃７ａおよびカソード給電刃７ｂは、５つのＬＥＤ素子６のうち両端に位置するものと、それぞれ電気的に接続されている。ＬＥＤ素子６の図面下側には、支持部材１０を介して、アルミニウムなどから成るプレート１２が設けられている。プレート１２の四隅には、螺子穴１６が形成されている。発光ユニット１の筐体には、ＬＥＤ保持基板８の四隅に、螺子穴１６に対応する螺子穴１７が形成されている。
【００３０】
図３（Ｂ）に示すように、電源コード９のアノード側およびカソード側に、それぞれ、アノード給電刃７ａおよびカソード給電刃７ｂが接続されている。この接続は、アノード給電刃７ａおよびカソード給電刃７ｂの形状に起因して、アノード給電刃７ａおよびカソード給電刃７ｂを、電源コード９の上部に位置合わせした状態で、発光ユニット１側を押下するだけで行うことができる。その後、螺子穴１６、１７に、螺子を取り付けることにより、発光ユニット１を電源ケーブル２に取り付けることができる。なお、発光ユニット１は、筐体内に水や外気が進入しないように、樹脂などで覆うことで、密閉してある。
【００３１】
ところで、支持部材１０は、断面で見た場合に上側角部がカットされた略台形状としてある。各支持部材１０は、断面が長方形状であってもよいが、特に、断面が略台形状となると、電源ケーブル２の側部に歩行者の足等が引っかかりにくくなるので好ましい。
【００３２】
ここで、略台形状とは、図３（Ｂ）に示すような形状のほか、更に上側角部のカット領域を増やして垂直側面をなくした台形状や、カット角を鋭角にした三角形状、アーチ形状を含む。
【００３３】
図３（Ｃ）には、支持部材１０の上部に凹部が形成され、ここに、電源コード９が、断面の長手方向が支持部材１０の平面方向に対して垂直となる態様で取り付けられている。電源コード９は、発光ユニット１を取り付けやすくするため、及び、電源ケーブル２を薄型化するために、支持部材１０の凹部には例えば半分強だけ埋まるようにしてある。電源コード９と支持部材１０とは、接着剤等により接続されている。
【００３４】
別の実施形態として、電源コード９は、断面全体が円形のものを用いてもよい。具体的には、このような電源コード９は、ＬＥＤ素子６を点滅させる場合に採用される。すなわち、発光ユニット１内にＬＥＤ発光用ＩＣを設け、電源コード９として、上記カソード、アノードの電線のほかに、ＬＥＤ発光用ＩＣにＬＥＤ素子６を点滅させるための、オン／オフ制御信号を伝送する制御信号線も備えるに場合には、これら３本の線を一体として被覆することで、電源コード９が、断面円形状のものとなる。
【００３５】
なお、ＬＥＤ素子６を容易に点滅させられるように、ＬＥＤ素子６と図示しない電源との間に、これらの電気的接続を選択的に行うリレー回路などのスイッチング素子を設けてもよい。
【００３６】
図４は、図１に示す工事現場用歩行者シート６０に取り付ける前の電源ケーブル２の支持部材１０間の平面図である。図５は、図４の電源ケーブル２を支持部材１０間で曲げた状態を示す平面図である。図４，図５には、支持部材１０から電源コード９が外れることを防止する押さえ部材１９が取り付けられている支持部材１０と、発光ユニット１が取り付けられている支持部材１０とを示している。支持部材１０間の電源コード９は、ゴムパイプなどで覆うなどして、断線しにくくするとよい。
【００３７】
図６は、工事現場用歩行者シート６０への発光ユニット１の取り付け方の別の実施形態を示す。この実施形態の場合には、工事現場用歩行者シート６０の軽量化等のために、支持部材１０を、図示するように全く用いない、或いは、電源コード９の支持等のために発光ユニット１の直下程度にしか用いないようにしている。支持部材１０を、発光ユニット１の直下程度にしか用いない場合には、プレート１２を支持部材１０の底面に設けるのではなく、工事現場用歩行者シート６０の底面に設けてもよい。
【００３８】
発光ユニット１の両端近傍には、電源コード９を通す貫通孔が形成されていて、かつ、工事現場用歩行者シート６０の側面から当該貫通孔に通じており電源コード９を貫通孔に通すための切り欠きが設けられている。貫通孔は、図示するように工事現場用歩行者シート６０の厚さ方向に対して斜め（例えば３０〜６０度）に形成されている。こうすると、電源コード９が緩やかに曲がるので、曲がる部分に過度の抵抗がかからない。このため、電源コード９の断線を防止することができる。
【００３９】
また、電源コード９として、直径数ｍｍ程度のリード線を用いた場合には、切り欠きを設けることなく、貫通孔に直接通すことも可能である。
【００４０】
図６に示すように、発光ユニット１の両端で、電源コード９は、工事現場用歩行者シート６０の表面から裏面に通される。こうすると、工事現場用歩行者シート６０の表面の凹凸を少なくすることができるので、工事現場用歩行者シート６０上で躓くこと等が防止できる。電源コード９は、工事現場用歩行者シート６０の裏面で、地面等との摩擦で断線しないように、ゴムパイプ等で覆われている。この状態で、電源コード９は、工事現場用歩行者シート６０の裏面に接着剤等で接続されている。
【００４１】
図７は、図６の模式的な配線図である。ここでは、図面上側に取り付けている発光ユニット１と、図面下側に取り付けている発光ユニット１とを、工事現場用歩行者シート６０の長手方向のほぼ中心に位置する電源コード９で、電気的に並列に接続している。
【００４２】
ここで、工事現場用歩行者シート６０における、電源コード９の取り出し位置は、工事現場用歩行者シート６０の短辺周辺であっても、長辺の中程であってもよい。前者の場合、例えば商用電源を用いるときに、商用電源と工事現場用歩行者シート６０側との接続コードが短くて済むというメリットがある。後者の場合、工事現場用歩行者シート６０の巻き取り時に電源コード９の引き出し部分の取り扱いが容易であり、当該引き出し部の存在により工事現場用歩行者シート６０を細く巻き取れることができないという事態を防止できるというメリットがある。
【００４３】
図８は、工事現場用歩行者シート６０へのＬＥＤ素子６の取り付け方の更なる別の実施形態を示す。この実施形態の場合には、工事現場用歩行者シート６０の軽量化等のために、発光ユニット１も用いないようにしている。図８に示すように、工事現場用歩行者シート６０には、ＬＥＤ素子６を通す貫通孔が形成されている。そして、工事現場用歩行者シート６０の裏面から表面に向けて、ＬＥＤ素子６の発光部分側から押し込み、当該発光部分が工事現場用歩行者シート６０の表面上に突き出るようにしている。
【００４４】
貫通孔は、直径が例えば４．８ｍｍである。ＬＥＤ素子６の直径は例えば５．０ｍｍである。工事現場用歩行者シート６０の厚みが約４．０ｍｍの場合には、ＬＥＤ素子６は丈が例えば約７．０ｍｍのものを用いる。こうすると、工事現場用歩行者シート６０の表面から突出しているＬＥＤ素子６の発光部分は約３．０ｍｍとなる。ＬＥＤ素子６は、発光光の照射角が例えば１５度〜１８０度のものを用いている。
【００４５】
ＬＥＤ素子６と工事現場用歩行者シート６０との間に、すなわち、開口部の側壁に、接着剤を塗布することで、これらの接続を強固にしてもよい。ＬＥＤ素子６の端子は、電源コード９に接続されている。電源コード９は、既述のように、ゴムパイプ等で覆われているとよい。ＬＥＤ素子６の端子と電源コード９との接続部分は、樹脂６２で覆われている。これにより、電源コード９の電線部分及びＬＥＤ素子６の端子を、風雨等の外気及び水分に触れないようにしている。さらに、樹脂６２の上部は、例えばプラスチック製、或いは金属製の保護部材６４であるところのケースで覆い、当該接続部分を保護している。これにより、地面等との摩擦による電源コード９の断線等が防止される。
【００４６】
なお、保護部材６４には、補強テープを用いてもよい。この場合、ＬＥＤ素子６の端子は、地面等との接触によるストレスを低減するために、工事現場用歩行者シート６０の底面に沿って曲げるとよい。更には、非吸水タイプのスポンジをＬＥＤ素子６の端子と補強テープとの間に設けて、ストレスをより低減するようにしてもよい。
【００４７】
ＬＥＤ素子６の丈が、工事現場用歩行者シート６０の厚さよりも小さい場合には、発光光が放射状に拡がるように、ＬＥＤ素子６周辺であって工事現場用歩行者シート６０表面を、ＬＥＤ素子６を中心として、擂り鉢状にカットするとよい。こうすると、工事現場用歩行者シート６０から離れた場所にいても、この光を視認しやすくなる。
【００４８】
或いは、ＬＥＤ素子６を、図示しているタイプから、薄型のチップＬＥＤに代えるとともに、工事現場用歩行者シート６０に、チップＬＥＤの端子の位置に合わせて小穴を形成し、ここを通じてチップＬＥＤと電源コード９とを接続してもよい。
【００４９】
また、電源コード９は、工事現場用歩行者シート６０の長手方向の側面に接着剤等で取り付けてもよい。こうすると、工事現場用歩行者シート６０が巻かれているときに、電源コード９の外周と内周との差が生じにくいので、この差に起因して電源コード９及びこれに塗布されている接着剤にかかる力を減らすことができるし、電源コード９が工事現場用歩行者シート６０の使用時に地面等と接触することが少なくなるし、工事現場用歩行者シート６０が巻かれているときに電源コード９が周辺にあるものと接触することが少なくなるので、電源コード９が痛みにくいというメリットがある。
【００５０】
図９は、図８の模式的な配線図である。ここでは、図６，図７の場合と実質的に同一の配線の引き回しとしている。図示するように、ＬＥＤ素子６は、例えば５つを一組として相互に直列接続している、そして、これらの各組を電気的に並列接続している。
【００５１】
ここで、ＬＥＤ素子６は、相互に並列接続すると、故障に対して強いというメリットがある。すなわち、例えば、ＬＥＤ素子６の一つが故障しても、他のＬＥＤ素子６が発光しなくなるという事態を防止できる。
【００５２】
一方、ＬＥＤ素子６は、相互に直列接続する方が、配線が容易になるという点で好ましい。すなわち、並列接続の場合には、配線がトータルで長くなるし、配線の分岐点が増えるし、分岐接続させる作業が必要になるところ、直列接続の場合にはこのような不都合が生じない。そこで、本実施形態では、故障に対する強さと配線の容易との双方を担保するために、上記のような接続形態としている。
【００５３】
以上、本実施形態では、工事現場で用いられる工事現場用歩行者シート６０の例を示したが、シート６０の用途はこれに限定されるものではない。例えば、シート６０は、建設中のエレベータ設置用の開口部の周辺を囲ったり、穴の周辺を囲ったりすることも可能である。このような場合には、シート６０の端部全体、或いは、シート６０の一辺だけに発光素子６を配列するとよい。
【００５４】
さらには、工事現場に限らず、花火会場や映画館などの暗所における道標用などに用いることも可能である。更には、屋外のみならず、家庭内、飲食店を含む店舗内、工場内などの屋内でも用いることができる。
【００５５】
また、シート６０は、ヘリコプターの着陸帯指示用とすることも可能である。したがって、例えば、地震等が発生し、被災地に電気の供給がストップしても、シート６０は、乾電池等を電源として使用することが可能であるので、被災地への援助物資の空輸が夜間でも行いやすくなる。また、地震により道路の一部が陥没等した場合には、その周辺をシート６０で囲むことで、保安を担保することができる。
【産業上の利用可能性】
【００５６】
本発明は、配線業、建築業、建築業、土木業、災害復旧などの各種産業において利用することが可能である。
【図面の簡単な説明】
【００５７】
【図１】本発明の実施形態の工事現場用歩行者シート６０の模式的な外観図である。
【図２】図１に示す電源ケーブル２の発光ユニット１近傍の模式的な側面図及び平面図である。
【図３】図２の断面図である。
【図４】図１に示す工事現場用歩行者シート６０に取り付ける前の電源ケーブル２の支持部材１０間の平面図である。
【図５】図４の電源ケーブル２を支持部材１０間で曲げた状態を示す平面図である。
【図６】工事現場用歩行者シート６０への発光ユニット１の取り付け方の別の実施形態を示す。
【図７】図６の模式的な配線図である。
【図８】工事現場用歩行者シート６０へのＬＥＤ素子６の取り付け方の更なる別の実施形態を示す。
【図９】図８の模式的な配線図である。
【符号の説明】
【００５８】
１  発光ユニット
２  電源ケーブル
６  ＬＥＤ素子
７  給電刃
８  ＬＥＤ保持基板
９  電源コード
１０  支持部材
１２  プレート
１３  接続プラグ
１６，１７  螺子穴
１９  押さえ部材
６０  シート
【図１】
2006207195.tif 000003
【図２】
2006207195.tif 000004
【図３】
2006207195.tif 000005
【図４】
2006207195.tif 000006
【図５】
2006207195.tif 000007
【図６】
2006207195.tif 000008
【図７】
2006207195.tif 000009
【図８】
2006207195.tif 000010
【図９】
2006207195.tif 000011